(57)【特許請求の範囲】
【請求項１】
前面が開口される箱状の筐体と、該筐体の前面を塞ぐように取り付けられる前面パネルと、家屋の屋外側の壁面に取り付けられる前記筐体の当該壁面への取付面側に設けられた貫通口を覆うカバー部と、を備え、
前記カバー部を一体成形すると共に、このカバー部には前記筐体に取り付けられる取付部と、前記筐体に収納される電気回路と電気的に接続する配線を挿通する筒状部とを備え、
前記筒状部は、前記筐体の外部に向かって開口する第１開口部と、該第１開口部と反対側で前記筐体の内部に向かって開口する第２開口部とを有しており、
前記第２開口部は、前記第１開口部における鉛直方向の下端より鉛直方向の上方に設けられていることを特徴とする屋外設置用電気機器。
【請求項２】
前記第２開口部の開口面積は、前記第１開口部の開口面積よりも小さいことを特徴とする請求項１に記載の屋外設置用電気機器。
【請求項３】
前記カバー部は、前記壁面の配線引出口から引き出された前記配線と前記配線引出口との隙間を塞ぐ充填材が収納される収納空間を備えていることを特徴とする請求項２に記載の屋外設置用電気機器。
【請求項４】
前記筒状部の内面は、前記第１開口部から前記第２開口部まで連続する丸みを帯びた曲面形状を有していることを特徴とする請求項３に記載の屋外設置用電気機器。
【請求項５】
前記第１開口部は、前記筐体の取付面側に沿った面から当該面と交差する前記筐体の鉛直方向の下方の面に渡って構成されていることを特徴とする請求項３に記載の屋外設置用電気機器。
【請求項６】
前記カバー部は、前記筐体の内部に前記貫通口から鉛直方向の上方に突出して段差を形成しており、前記段差は、前記取付面側から前記筐体の内部に向かうにつれ大きくなっていることを特徴とする請求項５に記載の屋外設置用電気機器。
【発明の詳細な説明】
【技術分野】
【０００１】
本発明は、屋外設置用の電気機器に関し、特に、屋外の壁面に取り付けられる電気機器に関する。
【背景技術】
【０００２】
従来、電気機器を、壁面に取り付けて使用する場合がある。
【０００３】
この種の電気機器としては、たとえば、太陽電池からの直流電力を、所定の交流電力に変換する電力変換装置が知られている（たとえば、特許文献１を参照）。
【０００４】
特許文献１の電力変換装置は、インバータ回路を構成する基板と、基板を収容する筐体とを備えている。特許文献１の電力変換装置では、インバータ回路は、太陽電池の直流電力を交流電力に変換する電気回路の一部を構成している。電力変換装置は、筐体の背面パネルを壁面に取り付け、この背面パネルには切り欠きが構成されている。電力変換装置は、直流電力が入力されるＤＣ入力配線や交流電力が出力されるＡＣ出力配線を、背面パネルの切り欠きを通して、筐体の内部に導入できるように構成されている。
【先行技術文献】
【特許文献】
【０００５】
【特許文献１】特開２０１４−９０６０４号公報
【発明の概要】
【発明が解決しようとする課題】
【０００６】
ところで、電気機器は、建造物内部の壁面に取り付けられる場合だけでなく、屋外側の壁面に取り付けられる場合もある。電気機器は、屋外側の壁面に取り付けられる場合、雨水が入り込むと、電気機器の信頼性を低下させる虞がある。電気機器はより防水性に優れた構成が求められており、屋外側の壁面に取り付けられる場合、上述した特許文献１の構成だけでは十分ではなく、更なる改良が求められている。
【０００７】
本発明の目的は、より防水性に優れた屋外設置用の電気機器を提供することにある。
【課題を解決するための手段】
【０００８】
本発明の屋外設置用電気機器は、前面が開口される箱状の筐体と、該筐体の前面を塞ぐように取り付けられる前面パネルと、家屋の屋外側の壁面に取り付けられる筐体の当該壁面への取付面側に設けられた貫通口を覆うカバー部と、を備え、カバー部を一体成形すると共に、このカバー部には筐体に取り付けられる取付部と、筐体に収納される電気回路と電気的に接続する配線を挿通する筒状部とを備え、筒状部は、筐体の外部に向かって開口する第１開口部と、該第１開口部と反対側で筐体の内部に向かって開口する第２開口部とを有しており、第２開口部は、第１開口部における鉛直方向の下端より鉛直方向の上方に設けられていることを特徴とするものである。
【発明の効果】
【０００９】
本発明の屋外設置用電気機器は、より防水性に優れた構成とすることが可能となる。
【図面の簡単な説明】
【００１０】
【図１】図１は、実施形態の屋外設置用電気機器を示す背面側の斜視図である。
【図２】図２は、実施形態の屋外設置用電気機器を示す正面側の斜視図である。
【図３】図３は、実施形態の屋外設置用電気機器における要部を説明する正面図である。
【図４】図４は、実施形態の屋外設置用電気機器における別の要部を説明する斜視図である。
【図５】図５は、実施形態の取付工程を説明する説明図である。
【図６】図６は、実施形態の取付工程を説明する説明図である。
【図７】図７は、実施形態の屋外設置用電気機器を用いた電力変換システムの概念図である。
【発明を実施するための形態】
【００１１】
以下では、本実施形態の屋外設置用電気機器（以下、単に電気機器と記す）１１について、図１ないし図６を参照しながら説明する。電気機器１１を電力変換装置とした際の電力変換システム５０を、図７を用いて説明する。なお、電気機器１１は電力変換装置に限るものではなく、電力配線の結合や分岐を行うものや保護継電器を収納したものなど、電気配線にかかり電気部品や電気回路を収納するものであれば良く、また屋外設置するものであれば良い。図中においては、同じ部材に対し、同じ番号を付して重複する説明を省略する。各図面が示す部材の大きさや位置関係は、説明を明確にするために誇張していることがある。
【００１２】
本実施形態の電気機器１１は、図１ないし図３に示すように、筐体２と、前面パネル３と、合成樹脂等で一体成形されたカバー部４と、を備えている。筐体２は、前面が開口する箱状の外形形状を有し、例えばアルミやアルミ合金などの金属、又は合成樹脂等で一体に成形されている。前面パネル３は、筐体２の前面を塞ぐことができるように螺子等で開閉可能に取り付けられている。筐体２は、例えば電力変換回路等を成す電気回路１を内部に収納することができるように構成されている。電気回路１は、電力変換回路に限るものではなく、保護継電器、ヒューズ、端子台などの部品やダイオードを用いた逆流防止回路、複数の電力を単一出力にまとめる回路、単一の入力電力を複数出力に分岐する回路、蓄電池の充電放電回路などが可能である。電気機器１１は、本実施形態の電力変換装置に限定されるものだけではない。筐体２は、屋外側の壁面５０ａａに取り付けるように構成されている。筐体２は、図４に示すように、貫通口２ａｂが設けられている。貫通口２ａｂは、壁面５０ａａに取り付ける筐体２の取付面（筐体２の背面）２ａａの下部側に設けられている。カバー部４は、貫通口２ａｂを覆うように構成されている。カバー部４は、取付部４ａと、筒状部４ｂとを備えている。取付部４ａは、筐体２に取り付けられるように構成されている。筒状部４ｂは、図６Ａおよび図６Ｂに示すように、配線１２を挿通できるように構成されている。配線１２は、電気回路１と電気的に接続される。また、筒状部４ｂは、第１開口部４ｂ１と、第２開口部４ｂ２とを有している。第１開口部４ｂ１は、筐体２の外部に向かって開口する。第２開口部４ｂ２は、第１開口部４ｂ１と反対側に設けられている。第２開口部４ｂ２は、筐体２の内部に向かって開口する。第２開口部４ｂ２は、第１開口部４ｂ１における鉛直方向の下端より鉛直方向の上方に設けられている。
【００１３】
本実施形態の電気機器１１は、第１開口部４ｂ１における鉛直方向の下端より鉛直方向の上方に第２開口部４ｂ２が設けられたカバー部４を備えることで、より防水性を高くすることが可能となる。
【００１４】
以下では、電気機器１１に電力変換装置を用いる場合について説明する。電気機器１１は、電気回路１として、電力変換器１１ａを使用している。電力変換器１１ａは、直流電力を交流電力に電力変換することができるように構成されている。最初に、電気機器（電力変換装置）１１を備えた電力変換システム５０を、図７を用いて、簡単に説明する。
【００１５】
電力変換システム５０は、太陽電池５１と、電気機器（電力変換装置）１１と、を備えている。電力変換システム５０は、さらに、リモートコントローラ５２と、分電盤５３と、を備えている。電気機器（電力変換装置）１１は、建屋の屋外側の壁面や架台等に設置され、複数の太陽電池５１と電気的に接続されて、太陽電池５１からの直流電力を交流電力に電力変換する。また、電気機器（電力変換装置）１１は、電力変換した交流電力を分電盤５３に出力し、たとえば、照明器具、テレビジョンなどの負荷機器５６を駆動すると共に、余剰電力は商用交流電源５５へ逆潮流させることが可能である。なお、電力変換した交流電力は全量を商用交流電源５５へ逆潮流させるように構成しても良い。
【００１６】
以下では、電気機器（電力変換装置）１１の構成について、より具体的に説明する。
【００１７】
電力変換器１１ａは、直流電力を交流電力へ変換するＤＣ−ＡＣコンバータに加え、図３に示すように、開閉器１１ｂと、コネクタ部１１ｃと、端子台１１ｄと、設定部１１ｅとを備えている。ＤＣ−ＡＣコンバータは、絶縁シート６で覆われ内部の電子部品が外部に露出しないように設けられている。５つの開閉器１１ｂは、正面視において、電力変換器１１ａの鉛直方向の下方における左側に配置され、最大5つの太陽電池５１と配線１２で電気的に接続される。以下では、太陽電池５１と電気的に接続させる配線１２を第１配線１２ａとも称する。開閉器１１ｂは、太陽電池５１から入力された直流電力をＤＣ−ＡＣコンバータへ給電する電路の開閉を制御することができるように構成されている。
【００１８】
端子台１１ｄは、正面視において、電力変換器１１ａの鉛直方向の下方における右側に配置され、分電盤５３と配線１２で電気的に接続される。以下では、分電盤５３と電気的に接続する配線１２を第２配線１２ｂとも称する。ＤＣ−ＡＣコンバータは、端子台１１ｄおよび第２配線１２ｂを介して、電力変換した交流電力を分電盤５３に出力することができる。端子台１１ｄは、アース接続させる配線１２と電気的に接続できるように構成されていてもよい。電力変換器１１ａは、通信部を備えている。通信部は、コネクタ部１１ｃを介してリモートコントローラ５２とつながり、たとえば、電気機器１１の駆動条件の設定や、太陽電池５１の発電量の確認などを行うことができるように構成されている。コネクタ部１１ｃとリモートコントローラ５２とは、配線１２（以下では、第３配線１２ｄとも称する）で電気的に接続されている。
【００１９】
電気機器（電力変換装置）１１は、筐体２の内部において、開閉器１１ｂとコネクタ部１１ｃと端子台１１ｄとを、鉛直方向の下方に設けている。電気機器（電力変換装置）１１は、筐体２の内部において、カバー部４を鉛直方向の下方に設けている。電気機器（電力変換装置）１１は、たとえば、筐体２の高さが６５ｃｍ以上の場合もある。電気機器（電力変換装置）１１は、筐体２が取り付けられる地表面からの地上高さが高い場合、鉛直方向の上方に開閉器１１ｂなどを設けると、上から見下ろすような作業が必要となり配線１２の接続作業を行う作業者はより高所作業となる。電気機器（電力変換装置）１１は、筐体２の内部において、カバー部４に対応して、鉛直方向の下方に開閉器１１ｂとコネクタ部１１ｃと端子台１１ｄとを設けている。電気機器（電力変換装置）１１は、カバー部４に対応して、鉛直方向の下方に、開閉器１１ｂ、コネクタ部１１ｃもしくは端子台１１ｄを設けることで、配線１２の接続作業は下から見上げるように行うことができ作業の確実性と作業者の安全性が増すものである。
【００２０】
筐体２は、図３に示すように、背板２１ａと、第１側板２１ｂと、第２側板２１ｃと、上板２１ｄと、底板２１ｅと、を有している。背板２１ａは、長方形状の短手方向に沿って、上板２１ｄと、底板２１ｅとを備えている。
【００２１】
筐体２には、図４に示すように、背板２１ａと、底板２１ｅとに渡って、貫通口２ａｂが設けられている。筐体２は、カバー部４を固定する固定部２１ｈを備えている。筐体２は、複数の固定部２１ｈを背板２１ａに設けている。固定部２１ｈは、貫通口２ａｂに向かって突出している。固定部２１ｈは、平板状の外形形状をしている。固定部２１ｈは、厚み方向に貫通する固定孔２１ｈａを有している。筐体２は、固定孔２１ｈａを挿通させた螺子を用いて、筐体２の内部からカバー部４を螺子止めできるように構成されている。
【００２２】
図４に示す白抜きの矢印の向きは、カバー部４を、筐体２に合わせる方向を例示している。カバー部４では、筐体２にカバー部４が合わせられることで、配線１２が鉛直方向の上方に向くように第２開口部４ｂ２から導出される。電気機器（電力変換装置）１１は、筐体２にカバー部４を嵌め合わせた状態で、筐体２の内部から筐体２の固定部２１ｈとカバー部４のボス４ｃ６との螺子止めが行われる。さらに、電気機器（電力変換装置）１１は、筐体２にカバー部４を嵌め合わせた状態で、筐体２の外部からカバー部４の底部４ａ１と筐体２の底板２１ｅとの螺子止めが行われる。
【００２３】
筐体２は、図３に示すように、カバー部４における鉛直方向の上方に凹所２１ａａを備えている。凹所２１ａａは、正面視において、三角形状に形成されている。筐体２は、カバー部４の第２開口部４ｂ２と、対向するようにコネクタ部１１ｃおよび端子台１１ｄを配置している。凹所２１ａａは、筐体２の内部に挿入された配線１２の引き回しを行い易くさせることができる。
【００２４】
電力変換器１１ａの放熱のために、背板２１ａに複数の放熱フィン２１ｆを備えている。筐体２の材料は、アルミニウムだけに限られず、アルミ合金など熱伝導性に優れた金属を用いることが好ましい。筐体２の材料は、金属だけに限られず、樹脂を用いることもできる。
【００２５】
前面パネル３は、熱伝導性に優れた金属を用いて形成することができる。前面パネル３は、たとえば、金属材料として、焼き付け塗装した鉄、ステンレスなどを用いることができる。前面パネル３の材料は、金属だけに限られず、樹脂を用いてもよい。前面パネル３は、環状のパッキンを介して、筐体２に固定される。パッキンは、前面パネル３と筐体２との間から水が浸入することを抑制することができる。
【００２６】
カバー部４は、図４に示すように、取付部４ａと、筒状部４ｂとを有している。カバー部４は、取付部４ａと筒状部４ｂとが一体的に構成されている。カバー部４は、たとえば、ＰＣ(Ploy Carbonate)樹脂とＡＢＳ(Acrylonitrile Butadiene Styrene)樹脂とを混合したポリマーアロイの樹脂材料を用いて、一体成形で成すことができる。カバー部４は、樹脂材料の一体成形を用いて成すことで、丸みを帯びた曲面形状を含む比較的に自由な外形形状とすることができる。カバー部４は、樹脂材料の一体成形を用いて成すことで、複数の部品から構成される場合と比較して、つなぎ目が少なく防水性を高めることもできる。取付部４ａは、底部４ａ１と、台座部４ａ５と、壁部４ｃ２とを備えている。底部４ａ１は、板状に形成されている。底部４ａ１は、平面視において、Ｃ字状の外形形状をしている。台座部４ａ５は、底部４ａ１の厚み方向に突出している。台座部４ａ５は、平面視において、Ｃ字状の外形形状をしている。底部４ａ１は、平面視において、台座部４ａ５を囲むように形成されている。カバー部４は、台座部４ａ５が突出する表面と反対の裏面側が窪んでいる。台座部４ａ５は、Ｃ字状の開口部が第１開口部４ｂ１の一部を構成する。カバー部４が筐体２に取り付けられた場合、台座部４ａ５における鉛直方向の下方の面は、筐体２の底板２１ｅに沿った面を形成するように構成されている。
【００２７】
台座部４ａ５は、筐体２の底板２１ｅにおける貫通口２ａｂよりも若干小さい外形形状としている。底部４ａ１は、筐体２の底板２１ｅにおける貫通口２ａｂよりも大きい外形形状をしている。カバー部４は、台座部４ａ５が筐体２の貫通口２ａｂに嵌め入れることができるように構成されている。カバー部４は、台座部４ａ５を筐体２の貫通口２ａｂに嵌め入れた状態で、底部４ａ１と、筐体２の底板２１ｅとが当接するように構成されている。
【００２８】
壁部４ｃ２は、平板状に形成されている。壁部４ｃ２は、底部４ａ１と直交するように設けられている。壁部４ｃ２は、正面視において、Ｃ字状の外形形状をしている。壁部４ｃ２は、Ｃ字状の開口部が第１開口部４ｂ１の一部を構成する。カバー部４が筐体２に取り付けられた場合、壁部４ｃ２の正面は、筐体２の取付面２ａａに沿った面を形成するように構成されている。壁部４ｃ２は、Ｃ字状の開口部の周部に沿って、壁部４ｃ２の背面から突出する複数のボス４ｃ６を備えている。ボス４ｃ６は、先端に螺子孔４ｃｈが形成されている。カバー部４は、筐体２における固定部２１ｈの固定孔２１ｈａに挿通する螺子を、カバー部４におけるボス４ｃ６の螺子孔４ｃｈに螺子止めされることで、筐体２とカバー部４とを固定することができるように構成されている。壁部４ｃ２は、取付面２ａａに沿った貫通口２ａｂよりも若干大きな外形形状に形成されている。カバー部４は、台座部４ａ５を筐体２の貫通口２ａｂに嵌め入れた状態で、壁部４ｃ２と筐体２の背板２１ａとが当接するように構成されている。壁部４ｃ２は、一対の当接片４ａ９を備えている。一対の当接片４ａ９は、筒状部４ｂを介して、対向するように設けられている。当接片４ａ９は、底部４ａ１の厚み方向に突出している。当接片４ａ９は、平板状の外形形状をしている。当接片４ａ９は、壁部４ｃ２の幅広部を構成している。当接片４ａ９は、筐体２と当接して、カバー部４を支持できるように構成されている。
【００２９】
台座部４ａ５は、補助片４ａ７を有している。台座部４ａ５は、筐体２にカバー部４が取り付けられた場合、平面視において、筐体２の取付面２ａａ側から延びるように補助片４ａ７が配置されている。補助片４ａ７は、壁部４ｃ２を台座部４ａ５に支持することができるように構成されている。補助片４ａ７は、壁部４ｃ２と台座部４ａ５の機械的強度を高めることができる。補助片４ａ７は、板状の外形形状をしている。補助片４ａ７は、側面視において、三角形の外形形状をしている。台座部４ａ５は、底部４ａ１から突出して段差を形成している。
【００３０】
カバー部４は、シール材を介して、底部４ａ１と、底板２１ｅとを当接させることができる。カバー部４は、シール材を介して、壁部４ｃ２と、背板２１ａとを当接させることができる。シール材は、筐体２とカバー部４との隙間から水の浸入を抑制できるように設けられる。シール材は、たとえば、シリコーン樹脂を用いることができる。カバー部４は、筐体２の貫通口２ａｂまわりと当接する底部４ａ１の表面３ａａに凹凸を有していてもよい。カバー部４は、筐体２の貫通口２ａｂまわりと当接する底部４ａ１の表面３ａａに凹凸を有していることで、シール材との密着性を向上させることもできる。底部４ａ１は、台座部４ａ５の周部において、厚み方向に貫通する通孔４ａｃを備えている。カバー部４は、通孔４ａｃに挿通する螺子を利用して、筐体２の底板２１ｅに固定させることができる。カバー部４は、筐体２の外部から底部４ａ１を介して筐体２に螺子止めされる。
【００３１】
台座部４ａ５は、カバー部４が筐体２に取り付けられた場合、底部４ａ１との段差の高さが取付面２ａａ側から筐体２の内部に向かうにつれ、増加するように形成されている。カバー部４は、シール材を用いて、筐体２とカバー部４との間が封止される場合、台座部４ａ５の段差の高さが取付面２ａａ側から増加するように形成されていることで、シール材の余剰分が取付面２ａａ側から台座部４ａ５に這い上がることを抑制できる。
【００３２】
筒状部４ｂは、側面視において、台座部４ａ５と壁部４ｃ２とに渡って設けられている。筒状部４ｂは、壁部４ｃ２と台座部４ａ５とで支持されている。補助片４ａ７は、壁部４ｃ２の機械的強度を高めることができる。補助片４ａ７は、シール材を用いて、筐体２との間を封止する場合、シール材の余剰分が台座部４ａ５に這い上がることを抑制することが可能となる。
【００３３】
筒状部４ｂは、第２開口部４ｂ２の端部に沿って、外方に突出する突出部４ｃ５を備えている。突出部４ｃ５は、円環状の外形形状をしている。筒状部４ｂは、挿入される配線１２から大きな力を受ける場合もある。筒状部４ｂは、突出部４ｃ５で筒状部４ｂの機械的強度を高めることができるため、挿入される配線１２から大きな力を受けても損傷を受けることを抑制することができる。突出部４ｃ５は、配線１２を伝って水が筐体２の内部に浸入することを抑制させることもできる。
【００３４】
カバー部４は、第２開口部４ｂ２を１つ備えている。カバー部４は、１つの第２開口部４ｂ２を備えていることで、複数の配線１２を一か所から取り出すことを容易にすることができる。カバー部４は、１つの第２開口部４ｂ２を備えた構成だけに限られない。カバー部４は、複数の第２開口部４ｂ２を備えた構成とすることができる。カバー部４は、たとえば、２つの第２開口部４ｂ２を設ける場合、一方の第２開口部４ｂ２に、第１配線１２ａと、第２配線１２ｂとを挿通できるように構成できる。カバー部４は、２つの第２開口部４ｂ２を設ける場合、他方の第２開口部４ｂ２に、第３配線１２ｄを挿通できるように構成できる。カバー部４は、複数の第２開口部４ｂ２を備えることで、たとえば、第３配線１２ｄと、他の配線１２との間で互いにノイズが重畳されることを抑制することが可能となる。
【００３５】
カバー部４は、補助カバーを備えた構成とすることもできる。補助カバーは、カバー部４の第１開口部４ｂ１を塞ぐことができるように構成することができる。第１開口部４ｂ１を塞ぐ補助カバーは、電気機器（電力変換装置）１１が壁面５０ａａに設置されるまで、電気機器１１の内部に塵芥が混入することを抑制することができる。
【００３６】
筐体２は、螺子穴２１ｋに螺子を固定させることで、図５に示すように、柱状体２１ｇの先端から螺子の頭部８ａを突出させることができるように構成されている。筐体２は、柱状体２１ｇの先端から突出する螺子を利用して、壁面５０ａａに取り付けることができる。柱状体２１ｇの先端から突出する螺子の頭部８ａは、壁取付板９の袋部９ｈに引っ掛けることができるように構成されている。筐体２を壁面５０ａａに直接固定することもできる。電気機器（電力変換装置）１１は、柱状体２１ｇを利用して、壁面５０ａａに固定された壁取付板９に筐体２を取り付けることができる。
【００３７】
以下では、上述の電気機器（電力変換装置）１１と比較する比較例の電力変換装置を説明する。
【００３８】
比較例の電力変換装置は、電気機器１１におけるカバー部４を用いず、背板に貫通した孔から配線を引き込む点が相違している。比較例の電力変換装置は、建造物の壁面に取り付けられる場合、筐体の内部に配線を引き込むため、建造物の壁面に相対する筐体の背板に穴が開けられる。電力変換装置は、太陽電池からの直流電力が入力される配線を、背板に開けた穴を引き込み口として筐体の内部に引き込む。電力変換装置は、電力変換器からの交流電力が出力される配線を、背板に開けた穴を引き込み口として筐体の内部に引き込む。
【００３９】
電力変換装置では、筐体の内部に引き込まれた配線を電力変換器と電気的に接続させた後、背板に開けた穴が充填材で塞がれる。電力変換装置は、配線が挿通する穴を充填材で塞ぐことで防水処理を行うことができる。
【００４０】
しかしながら、電力変換装置は、筐体を建造物の壁面に取り付けた場合、配線を引き込んだ穴への防水処理を行うことが難しく、防水処理を行う作業者の技術力によって、防水性能が左右される傾向にある。電力変換装置は、高所で防水処理の作業を行う場合もあり、防水処理を行う作業者の技術力で防水機能が大きく左右される傾向にある。電力変換装置は、防水機能が十分でない場合、壁面および配線を伝った雨水が配線を引き込む穴から筐体の内部に浸入する場合がある。電力変換装置は、雨水が筐体の内部に浸入すると、筐体の内部に設けられた電力変換器に不具合が生ずる虞がある。
【００４１】
本実施形態の電気機器１１は、第１開口部４ｂ１における鉛直方向の下端より鉛直方向の上方に第２開口部４ｂ２が設けられたカバー部４を備えているので、配線１２が鉛直方向の上方の方向に向いて筐体２の内部に挿入される。言い換えれば、カバー部４は、第２開口部４ｂ２の手前において、壁面５０ａａの配線引出口５０ａｂから導出された配線１２を、鉛直方向の下から持ち上がるように配置させることができる。電気機器１１は、配線１２が鉛直方向の上方の方向に向いて筐体２の内部に挿入されることで、配線１２を伝った雨水が筐体２の内部に浸入することを抑制することが可能となる。
【００４２】
本実施形態の電気機器１１では、第１開口部４ｂ１は、筐体２の取付面２ａａ側に沿った面から当該面と交差する筐体２の鉛直方向の下方の面に渡って構成されていることが好ましい。
【００４３】
電気機器１１は、筐体２の取付面２ａａ側に沿った面から当該面と交差する筐体２の鉛直方向の下方の面に渡って第１開口部４ｂ１が形成されているので、壁面５０ａａに沿った鉛直方向の下方からの電線管１４を接続させることもできる。電線管１４は、電力変換器１１ａと接続させる配線１２が入っている。配線１２は、カバー部４を介して、電線管１４から筐体２の内部に挿入させることができる。
【００４４】
本実施形態の電気機器１１では、第２開口部４ｂ２の開口面積は、第１開口部４ｂ１の開口面積よりも小さいことが好ましい。
【００４５】
電気機器１１では、第２開口部４ｂ２の開口面積は、第１開口部４ｂ１の開口面積より小さくすることで、封止材でカバー部４の防水処理を行い易くすることが可能となる。封止材は、たとえば、シリコーン樹脂を用いることができる。開口面積は、投影面積で計測することができる。開口面積は、たとえば、第２開口部４ｂ２が２つ以上ある場合、合計面積とすることができる。
【００４６】
本実施形態の電気機器１１では、筒状部４ｂの内面は、第１開口部４ｂ１から第２開口部４ｂ２まで連続する丸みを帯びた曲面形状を有していることが好ましい。
【００４７】
筒状部４ｂは、内面が第１開口部４ｂ１から第２開口部４ｂ２まで連続する丸みを帯びた曲面形状を有していることで、配線１２の引き込み時の引っ掛かりや配線１２の損傷を抑制することが可能となる。
【００４８】
本実施形態の電気機器１１では、図５および図６Ｂに示すように、カバー部４は、壁面５０ａａの配線引出口５０ａｂから引き出された配線１２と、配線引出口５０ａｂとの隙間を塞ぐ充填材５０ｄが収納される収納空間を備えていることが好ましい。
【００４９】
電気機器１１は、カバー部４が収納空間を備えていることで、雨水が充填材５０ｄに掛かることを抑制し、より信頼性を高くすることが可能となる。カバー部４は、筐体２側に窪んで第１開口部４ｂ１から第２開口部４ｂ２へ徐々に小さくなる収納空間を形成している。カバー部４は、第１開口部４ｂ１から第２開口部４ｂ２へ徐々に小さくなる収納空間を形成することで、配線１２を引き込みやすくすることが可能となる。
【００５０】
本実施形態の電気機器１１では、カバー部４は、筐体２の内部に貫通口２ａｂから鉛直方向の上方に突出して段差を形成しており、段差は、取付面２ａａ側から筐体２の内部に向かうにつれ大きくなっていることが好ましい。
【００５１】
電気機器１１では、シール材を用いて、筐体２とカバー部４が封止させた場合でも、シール材を越えて水が筐体２の内部に浸入する場合がある。カバー部４は、底部４ａ１と台座部４ａ５との段差が取付面２ａａ側から増加するように形成されていることで、水の浸入を抑制させることができる。
【００５２】
以下では、電気機器（電力変換装置）１１の取付工程について図５および図６を用いて説明する。
【００５３】
電気機器（電力変換装置）１１は、屋外側の壁面５０ａａに電気機器１１の収納箱１０を取り付ける場合、取り付け予定の壁面５０ａａに予め壁取付板９が設けられる。壁取付板９は、壁面５０ａａから導出する配線１２を電気機器（電力変換装置）１１に引き込むことができるように、取り付けられる。取付工程では、壁面５０ａａに開けた配線引出口５０ａｂと、配線１２の隙間を充填材５０ｄで塞ぐ。充填材５０ｄは、たとえば、シリコーン樹脂を用いることができる。充填材５０ｄは、雨水などが壁側に浸入することを防ぐことができる。
【００５４】
次に、取付工程では、壁面５０ａａに取り付けた壁取付板９に、電気機器（電力変換装置）１１を壁掛け設置させる。電気機器（電力変換装置）１１は、筐体２の前面に設けた前面パネル３の固定螺子を緩めて、筐体２から前面パネル３を予め外しおく。電気機器（電力変換装置）１１は、筐体２にカバー部４が予め固定されている。
【００５５】
取付工程では、前面パネル３を外した状態で、筐体２の背板２１ａから突出する螺子の頭部８ａを、壁取付板９の袋部９ｈに引っ掛けて、壁掛けを行うことができる。取付工程では、筐体２の壁掛けと同時に、配線１２をカバー部４の筒状部４ｂに挿通させる。取付工程では、カバー部４の筒状部４ｂに挿通させた配線１２が筐体２の内部に引き込まれる。配線１２は、筒状部４ｂの丸みを帯びた曲面形状に沿って筐体２の内部に引き込まれる。
【００５６】
取付工程では、筐体２の壁掛けにより、壁面５０ａａの配線引出口５０ａｂから導出する配線１２と、配線引出口５０ａｂとの隙間を封止する充填材５０ｄがカバー部４の筒状部４ｂに収納される。筐体２の内部に引き込まれた配線１２は、筐体２に収納されている電力変換器１１ａと接続される。取付工程では、電力変換器１１ａと接続された配線１２と、カバー部４の第２開口部４ｂ２との隙間を封止材で封止する。
【００５７】
取付工程では、図２に示すように、前面パネル３の嵌合部３ａｂを、筐体２の上板２１ｄから突出する爪部２１ｄ１に引っ掛けた状態で、前面パネル３が筐体２の前面を塞ぐように配置させる。前面パネル３は、固定螺子を用いて、筐体２に前面パネル３を固定させる。電気機器（電力変換装置）１１は、第１螺子７により前面パネル３を筐体２に固定されることで、壁面５０ａａへの取り付けを行うことができる。
【符号の説明】
【００５８】
１  電気回路
２  筐体
２ａａ  取付面
２ａｂ  貫通口
３  前面パネル
４  カバー部
４ａ  取付部
４ｂ  筒状部
４ｂ１  第１開口部
４ｂ２  第２開口部
１１  屋外設置用電気機器（電力変換装置）
１２  配線
５０ａａ  壁面
５０ａｂ  配線引出口
５０ｄ  充填材
【図１】
0006460527.tif 000002
【図２】
0006460527.tif 000003
【図３】
0006460527.tif 000004
【図４】
0006460527.tif 000005
【図５】
0006460527.tif 000006
【図６】
0006460527.tif 000007
【図７】
0006460527.tif 000008